(57)【要約】【課題】使用状態でのシートが、特に後方からの荷重を受けた場合の支持力を高め、前側脚および後側脚の回動を規制するための強度も低くおさえる。【解決手段】シートクッション１０が、前側脚３０と後側脚５０とによってフロアＦ側に支持され、これらの前側脚３０および後側脚５０をほぼ平行に保った状態で回動させることにより、シートが使用状態あるいは格納状態に切り換えられる格納式シートであって、シートの使用状態では、前側脚３０および後側脚５０におけるシートクッション１０側の支持部の間隔よりもフロアＦ側の支持部の間隔が大きくなるように設定されている。【選択図】        図１
2005059716.tif 000002
【特許請求の範囲】
【請求項１】
シートクッションが、前側脚と後側脚とによってフロア側に支持され、これらの前側脚および後側脚をほぼ平行に保った状態で回動させることにより、シートが使用状態あるいは格納状態に切り換えられる格納式シートであって、シートの使用状態では、前側脚および後側脚におけるシートクッション側の支持部の間隔よりもフロア側の支持部の間隔が大きくなるように設定されている格納式シート。
【請求項２】
請求項１に記載された格納式シートであって、前側脚および後側脚におけるフロア側の支持部のうち、少なくとも一方が他方に対して接近あるいは離反する方向へ移動できるように構成されている格納式シート。
【請求項３】
請求項１に記載された格納式シートであって、前側脚および後側脚のうち、いずれか一方のフロア側の支持部が、シートを使用状態あるいは格納状態に切り換えるための駆動手段を備えている格納式シート。
【請求項４】
請求項２に記載された格納式シートであって、前側脚および後側脚におけるフロア側の支持部のうち、少なくとも一方を他方に対して接近あるいは離反する方向へ移動させるための駆動手段を備えている格納式シート。
【請求項５】
請求項３に記載された格納式シートであって、シートを使用状態あるいは格納状態に切り換えるための駆動手段が、前側脚および後側脚におけるフロア側の支持部のうち、少なくとも一方を他方に対して接近あるいは離反する方向へ移動させる機能を兼ねている格納式シート。
【発明の詳細な説明】
【技術分野】
【０００１】
本発明は、車両用の格納式シートに関し、シートを使用状態あるいは格納状態に切り換えることが可能な格納式シートに関する。
【背景技術】
【０００２】
この種の格納式シートについては、例えば特許文献１に開示されている技術が既に知られている。この技術では、シートがフロア側に対し、前後の平行リンクによって昇降動作するように支持されている。そして、後リンクのシート側支持部に設けたロック手段により、リンクの回動を規制できるようになっている。この回動規制により、シートをフロア側の格納凹部内に収めた格納状態、あるいは、シートを格納凹部上方に位置させた使用状態に保持することができる。
【特許文献１】特開２００２−３１６５６７号公報
【発明の開示】
【発明が解決しようとする課題】
【０００３】
従来の技術では、格納式シートの使用状態において、特にシートが後方からの衝撃荷重を受けた場合に、リンクが回動しないように保持するには、ロック手段、あるいはリンク支持部に対し、高い強度を確保することが要求される。
本発明の目的は、使用状態でのシートが、特に後方からの荷重を受けた場合の支持力を高め、前側脚および後側脚の回動を規制するために必要な強度も低くおさえることである。
【課題を解決するための手段】
【０００４】
本発明は、上記の目的を達成するためのものであって、以下のように構成されている。
請求項１に記載の発明は、シートクッションが、前側脚と後側脚とによってフロア側に支持され、これらの前側脚および後側脚をほぼ平行に保った状態で回動させることにより、シートが使用状態あるいは格納状態に切り換えられる格納式シートであって、シートの使用状態では、前側脚および後側脚におけるシートクッション側の支持部の間隔よりもフロア側の支持部の間隔が大きくなるように設定されている。
この構成によれば、シートの使用状態における前側脚と後側脚は、フロア側の支持部の間隔が広がった「八の字」状態となり、互いにほぼ平行な状態が崩されて、その回動を規制する作用が働く。したがって、使用状態でのシートは、前後方向の荷重に対する支持力が高く、前側脚および後側脚の回動を規制するロック機構などの強度も小さくて済む。
なお、シートを使用状態あるいは格納状態に作動させるときの前側脚および後側脚は、ほぼ平行な状態に保たれてスムースに回動する。
【０００５】
請求項２に記載の発明は、請求項１に記載された格納式シートであって、前側脚および後側脚におけるフロア側の支持部のうち、少なくとも一方が他方に対して接近あるいは離反する方向へ移動できるように構成されている。
このように、前側脚および後側脚におけるいずれか一方のフロア側の支持部を移動させることにより、前側脚および後側脚をほぼ平行な状態、あるいはフロア側の支持部の間隔が広がった状態に切り換えることができる。
【０００６】
請求項３に記載の発明は、請求項１に記載された格納式シートであって、前側脚および後側脚のうち、いずれか一方のフロア側の支持部が、シートを使用状態あるいは格納状態に切り換えるための駆動手段を備えている。
これにより、シートを使用状態あるいは格納状態に切り換えるための作動が自動化されるとともに、駆動手段のロック機能を利用することで、シートを使用状態に保持するための専用ロック手段を省くことも可能となる。
【０００７】
請求項４に記載の発明は、請求項２に記載された格納式シートであって、前側脚および後側脚におけるフロア側の支持部のうち、少なくとも一方を他方に対して接近あるいは離反する方向へ移動させるための駆動手段を備えている。
【０００８】
請求項５に記載の発明は、請求項３に記載された格納式シートであって、シートを使用状態あるいは格納状態に切り換えるための駆動手段が、前側脚および後側脚におけるフロア側の支持部のうち、少なくとも一方を他方に対して接近あるいは離反する方向へ移動させる機能を兼ねている。
これにより、駆動手段の配置スペースを小さく抑えることができる。
【発明の効果】
【０００９】
本発明の格納式シートによれば、特にその使用状態において後方から荷重を受けた場合の支持力が高く、前側脚および後側脚の回動を規制する部材の強度も小さくて済む。
【発明を実施するための最良の形態】
【００１０】
以下、本発明を実施するための最良の形態を、図面を用いて説明する。まず、実施の形態１を図１〜４によって説明する。
図１は、車両用の格納式シートを表した側面図である。図２は、格納式シートの骨格（フレーム）を表した斜視図である。これらの図面に示されている格納式シートは、シートクッション１０に対するシートバック２０の前後方向への傾倒角度を、リクライニング装置２６によって調整することができる。このリクライニング装置２６は、シートバック２０を前方へ倒すことによってシートクッション１０上に重合させ、その状態に保持することも可能である。また、シートクッション１０は、車体のフロアＦ側に対して左右一対の前側脚３０と、同じく左右一対の後側脚５０によって支持されている。
【００１１】
シートクッション１０のクッションフレーム１２と、シートバック２０のバックフレーム２２とは、それぞれＵ字状に形成されたパイプ材が主体となって構成されている。そして、クッションフレーム１２の後端部に固定されたロアアーム１６と、バックフレーム２２の下端部に固定されたアッパアーム２４とが、リクライニング装置２６を介して連結されている。また、クッションフレーム１２は、その前後において補強ロッド１４，１５を備えている（図２）。前側脚３０および後側脚５０は、クッションフレーム１２の補強ロッド１４，１５とフロアＦ側とを連結して、四節リンクを構成している。
【００１２】
一対の前側脚３０は、それぞれの上端部に固定された個別の軸支部３１と、下端部に固定された一つの軸支部３２とを備えている。上端部の各軸支部３１は、補強ロッド１４の軸支ブラケット１４ａにそれぞれ連結されている。下端部の軸支部３２は、フロアＦ側のスライド台３４上に固定された左右一対の軸支ブラケット３６に連結されている。なお、スライド台３４は、フロアＦの上面に沿って一定のストロークで前後方向へ移動可能である。
一対の後側脚５０は、それぞれの上下両端部に固定された軸支部５１，５２をそれぞれ備えている。上端部の各軸支部５１は、補強ロッド１５の軸支ブラケット１５ａにそれぞれ連結されている。下端部の各軸支部５２は、フロアＦ上に固定された左右一対の軸支ブラケット５４にそれぞれ連結されている。
【００１３】
前側脚３０において、上端部の軸支部３１と、クッションフレーム１２側の軸支ブラケット１４ａとの連結部が、本発明の「前側脚におけるシートクッション側の支持部」に相当する。同じく前側脚３０の下端部の軸支部３２と、スライド台３４側の軸支ブラケット３６との連結部が、本発明の「前側脚におけるフロア側の支持部」に相当する。また、後側脚５０において、上端部の軸支部５１と、クッションフレーム１２側の軸支ブラケット１５ａとの連結部が、本発明の「後側脚におけるシートクッション側の支持部」に相当する。同じく後側脚５０の下端部の軸支部５２と、フロアＦ側の軸支ブラケット５４との連結部が、本発明の「後側脚におけるフロア側の支持部」に相当する。
そして、図１で示すシートの使用状態にあっては、前側脚３０および後側脚５０におけるシートクッション１０側の支持部の間隔よりもフロアＦ側の支持部の間隔が大きなっている。つまり、この状態での前側脚３０と後側脚５０は、シートの側面視においてフロアＦ側の支持部の間隔が広がった「八の字」状態となっている。
【００１４】
前側脚３０におけるフロアＦ側の支持部が位置しているスライド台３４上には、シートをフロアＦ側に倒し込んだり、元の状態に戻したりするための、いわば格納用の駆動手段４０が設けられている（図１）。この駆動手段４０は、モーター４２および差動装置４４を備え、これらがスライド台３４上に装着されている。モーター４２は、正逆両方向の回転制御が可能であり、その回転が差動装置４４におけるスクリューロッド４６の往復移動に変換される。このスクリューロッド４６の先端部は、前側脚３０における下端部の軸支部３２外周に固定された連結アーム３２ａに連結されている。
【００１５】
スライド台３４の前方位置には、このスライド台３４を前後方向へ移動させるための、いわばスライド用の駆動手段６０が設けられている。この駆動手段６０についても、モーター（図示省略）および差動装置６２を備えている。この駆動手段６０のモーター駆動により、差動装置６２のスクリューロッド６４がその軸線回りに正逆回転する。そして、このスクリューロッド６４は、スライド台３４上に固定されたスクリューブロック３８に貫通した状態で噛み合っている。したがって、６０のスクリューロッド６４を回転制御することにより、スライド台３４を前後方向へ移動させることができる。
【００１６】
つづいて、シートが使用状態から格納状態に切り換えられるときの動きを、主として図１、図３，４にしたがって説明する。
図１で示すシートの使用状態において、格納のための操作が行われると、リクライニング装置２６の作動により、シートバック２０が図３で示すように前方向へ傾倒し始める。これと並行してスライド用駆動手段６０のモーターが始動し、スクリューロッド６４の回転により、スライド台３４が後方へ向かって移動する。これにより、前側脚３０におけるフロアＦ側の支持部（軸支部３２）が、後側脚５０のフロアＦ側の支持部（軸支部５２）に接近することになる。つまり、前側脚３０および後側脚５０は、フロアＦ側の支持部の間隔が広がった「八の字」状態から、図３のように互いにほぼ平行な状態（平行リンク状態）となる。なお、駆動手段６０のモーターは、スライド台３４が図３で示す位置まで移動したところで停止する。
【００１７】
図３の状態において、今度は格納用駆動手段４０のモーター４２が始動し、スクリューロッド４６が後方へ押し出されように作動する。これにより、前側脚３０の軸支部３２が連結アーム３２ａを通じて後方向（図３において時計回り方向）への回転力を受ける。この結果、前側脚３０および後側脚５０が平行リンク状態で後方へ回動し、図４で示すようにシート全体がフロアＦ側に倒れ込む。この時点で、駆動手段４０のモーター４２は停止する。なお、この時点でのシートバック２０は、シートクッション１０上に重合した状態に傾倒している。図４はシートの格納状態であり、駆動手段４０，６０のロック機能により、シートの格納状態が保持される。
【００１８】
図４で示すシートの格納状態において、使用状態に戻す操作が行われると、まず、駆動手段４０のモーター４２が格納操作時とは逆方向に回転し、スクリューロッド４６が前方へ引き戻される。これに連動して前側脚３０の軸支部３２が前方向（図４の反時計回り方向）へ回転し、前側脚３０および後側脚５０が共に前方へ回動する。これにより、図３で示すようにシート全体がフロアＦ側から立ち上がり、ここで、モーター４２は停止する。
【００１９】
つづいて、駆動手段６０のモーターが格納操作時とは逆方向に回転し始め、これに伴うスクリューロッド６４の回転により、スライド台３４が図３の位置から前方へ向かって移動する。これにより、前側脚３０におけるフロアＦ側の支持部が、後側脚５０のフロアＦ側の支持部から離反する。この結果、前側脚３０および後側脚５０は、互いにほぼ平行な状態から、シートクッション１０側の支持部よりもフロアＦ側の支持部の間隔が広がった「八の字」状態になる。なお、駆動手段６０のモーターは、スライド台３４が図１で示す元の位置に戻ったところで停止し、シートは使用状態となる。また、この使用状態においては、シートバック２０もリクライニング装置２６の作動によって元の起立位置に戻っている。
【００２０】
駆動手段４０，６０は、共にスクリューロッド４６，６４が使用され、個々の出力側から入力側への作動力の逆伝達は阻止される機構になっている。したがって、これらの駆動手段４０，６０は、共にロック機能を果たし、シートを図１で示す使用状態に保持する。また、この使用状態における前側脚３０および後側脚５０は、既に述べたように個々の回動時における平行状態が崩されて、フロアＦ側の支持部の間隔が広がった「八の字」状態になっている。したがって、使用状態でのシートは、その前後方向から加わる荷重に対する支持力が高く、駆動手段４０，６０によるロック機構としての強度は小さくて済む。
【００２１】
つぎに、本発明の実施の形態２を図５によって説明する。
図５は、実施の形態２のシートを表した側面図である。なお、実施の形態２および後で説明する実施の形態３，４については、それぞれの図面においてシートのシートバックが省略されている。さて、図５で示すように、実施の形態２は、二つの駆動手段を前側脚側と後側脚側とに振り分けて配置した例である。つまり、前側脚３０におけるフロアＦ側の支持部には、スライド用の駆動手段１６０が配置され、後側脚５０におけるフロアＦ側の支持部には、格納用の駆動手段１４０が配置されている。
【００２２】
前側脚３０の下側の軸支部３２は、フロアＦ上のガイドプレート７０に案内されて前後方向へ移動可能なスライダー７２に連結されている。そして、スライド用の駆動手段１６０は、そのモーター駆動に基づくスクリューロッド１６４の正逆回転により、スライダー７２を前後方向へ移動させることができる。これにより、前側脚３０のフロアＦ側支持部が図５の実線位置と仮想線位置との間を移動することになる。一方、格納用の駆動手段１４０は、そのモーター１４２の駆動により、後側脚５０における下側の軸支部５２を、その軸線回りに回転させることが可能となっている。
【００２３】
実施の形態２において、シートを格納するための操作が行われると、スライド用の駆動手段１６０におけるスクリューロッド１６４の回転により、スライダー７２がガイドプレート７０に案内されて後方へ移動する。この結果、前側脚３０は、図５の仮想線で示すように、そのフロアＦ側の支持部が後側脚５０のフロアＦ側の支持部に接近し、後側脚５０とほぼ平行な状態になる。したがって、実施の形態１と同様に、前側脚３０および後側脚５０は、相互のフロアＦ側支持部の間隔が広がった「八の字」状態から、平行リンク状態となる。つづいて、駆動手段１４０のモーター１４２が始動し、後側脚５０の軸支部５２が後方向（図５の時計回り方向）への回転力を受ける。これにより、前側脚３０および後側脚５０が平行リンク状態で後方へ回動し、図５の仮想線で示すようにシート全体がフロアＦ側に倒れ込み、シートは格納状態になる。
【００２４】
また、シートを使用状態に戻す操作が行われると、格納時とは逆に駆動手段１４０，１６０の順で、それぞれのモーターが逆方向に回転し、シートが図５の実線で示す使用状態になる。この使用状態における前側脚３０および後側脚５０は、実施の形態１の場合と同様に、個々の回動時における平行リンク状態から、フロアＦ側の支持部の間隔が広がった「八の字」状態となる。なお、駆動手段１４０，１６０についても、個々にロック機能を有し、シートを使用状態あるいは格納状態に保持する。
【００２５】
つぎに、本発明の実施の形態３を図６〜９によって説明する。
図６は、実施の形態３におけるシートの使用状態を表した側面図であって、（ａ）は全体図、（ｂ）は部分拡大図である。図７は、図６における前側脚のフロア側支持部の構造を表した分解斜視図である。図８は、シートの格納作動状態を表した側面図であって、（ａ）は全体図、（ｂ）は部分拡大図である。図９は、シートの格納作動状態を表した側面図であって、（ａ）は全体図、（ｂ）は部分拡大図である。この実施の形態３は、駆動手段を一つにした例である。つまり、図６で示すように、前側脚３０におけるフロアＦ側の支持部の前方位置に、駆動手段２４０のみが配置されている。
【００２６】
実施の形態３における前側脚３０の下側の軸支部３２には、これと平行な補助部材８０が固定されている。また、フロアＦ上には、左右一対のガイドプレート８２が配置されている。これらのガイドプレート８２には、前後方向へ延びるガイド孔８４が形成されており、両ガイド孔８４は後方側において下方向へ屈曲した弧状の端部８４ａをそれぞれ備えている。そして、両ガイドプレート８２のガイド孔８４には、軸支部３２および補助部材８０の両端部がそれぞれスライド可能に係合している。
【００２７】
両ガイドプレート８２の内側には、ストッパー８６が軸８７によって回動可能に取り付けられている。これらのストッパー８６と、両ガイドプレート８２との間には、スプリング８８がそれぞれ掛けられている。このスプリング８８の弾性により、ストッパー８６は図６（ｂ）で示す回動位置に保持されている。この状態でのストッパー８６は、その上側縁の平坦部分８６ａが、ガイド孔８４後方における端部８４ａとの境界部位に位置している。
なお、駆動手段２４０は、実施の形態１における駆動手段４０と同じ様な構造であり、そのモーター２４２の正逆回転が、スクリューロッド２４６の往復移動に変換される。このスクリューロッド２４６の先端部は、軸支部３２の外周に固定された連結アーム３２ａに連結されている。
【００２８】
図６で示すシートの使用状態において、格納のための操作が行われると、駆動手段２４０の駆動によってスクリューロッド２４６が後方へ押し出されように作動する。これに連動して、図８で示すように前側脚３０の軸支部３２が補助部材８０と共にガイド孔８４に案内されて後方へ移動する。つまり、前側脚３０におけるフロアＦ側の支持部が、後側脚５０のフロアＦ側の支持部に接近し、前側脚３０および後側脚５０は、フロアＦ側の支持部の間隔が広がった「八の字」状態から、図８のように互いにほぼ平行な状態となる。なお、この状態での補助部材８０両端部は、図８（ｂ）で明らかなようにガイド孔８４内においてストッパー８６の平坦部分８６ａに載っている。
【００２９】
軸支部３２は、連結アーム３２ａを通じて後方向への回転力を受けている。このため、図８の状態からスクリューロッド２４６がさらに押し出されると、軸支部３２は、補助部材８０をガイド孔８４の端部８４ａに進入させながら後方へ回転する。この結果、前側脚３０および後側脚５０が後方へ回動し、図９で示すようにシート全体がフロアＦ側に倒れ込み、シートは格納状態となる。また、補助部材８０がガイド孔８４の端部８４ａに進入することに伴い、ストッパー８６がスプリング８８の力に抗して軸８７回りに回動し、図９（ｂ）で示す状態になる。つまり、この状態におけるストッパー８６は、ガイド孔８４に沿って軸支部３２が前方へ移動するのを規制することになる。
【００３０】
シートを格納状態から使用状態に戻す操作が行われ、駆動手段２４０のスクリューロッド２４６が前方へ引き戻され始めると、軸支部３２が連結アーム３２ａを通じて後方向へ引っ張られる。これにより、軸支部３２が図９の状態からストッパー８６を支点として回転し、補助部材８０がガイド孔８４の端部８４ａから退出する。これに伴い、ストッパー８６はスプリング８８の作用によって再び図８の状態に回動し、ストッパー８６による軸支部３２の移動規制が解除される。その後は、スクリューロッド２４６の作動によって軸支部３２は補助部材８０と共に図６の状態に復帰する。これにより、前側脚３０および後側脚５０は、互いにほぼ平行な状態から、シートクッション１０側の支持部よりもフロアＦ側の支持部の間隔が広がった「八の字」状態に戻り、シートは使用状態となる。なお、駆動手段２４０についても、実施の形態１における駆動手段４０と同様にロック機能を有し、シートを使用状態あるいは格納状態に保持する。
【００３１】
つぎに、本発明の実施の形態４を図１０，１１によって説明する。
図１０は、実施の形態４におけるシートの使用状態を表した側面図である。図１１は、図１０のシートの格納状態を表した側面図である。この実施の形態４は、シートを使用状態あるいは格納状態に切り換えるための駆動手段を廃止した例である。この実施の形態における前側脚３０の下側の軸支部３２は、フロアＦ上に固定されたガイドプレート９０のガイド孔９２に対し、前後方向への移動可能に支持されている。また、この軸支部３２はロック機能付きスプリング９４により、前後方向への移動および回転をロックできるとともに、スプリング９４の弾性によって両端のフック９４ａ間の距離を伸縮させることが可能である。なお、両フック９４ａの一方は軸支部３２に、他方はフロアＦ側の部材にそれぞれ結合されている。
【００３２】
そこで、シートを図１０の使用状態から格納状態にするには、ロック機能付きスプリング９４のロックを解除し、かつ両フック９４ａ間の距離を伸長させる。これにより、前側脚３０の軸支部３２が、ガイド孔９２に沿って後方へ移動するとともに、前側脚３０および後側脚５０が後方へ回動する。この結果、シート全体がフロアＦ側に倒れ込み、シートは図１１で示す格納状態になる。また、シートを使用状態に戻す場合は、両フック９４ａ間の距離を縮小させることにより、シート全体がフロアＦ側から立ち上がり、かつ軸支部３２がガイド孔９２に沿って前方へ移動する。この状態でロックすることにより、シートは図１０で示す使用状態に保持される。
【図面の簡単な説明】
【００３３】
【図１】格納式シートの使用状態を表した側面図（実施の形態１）
【図２】格納式シートの骨格（フレーム）を表した斜視図（実施の形態１）
【図３】格納式シートの格納作動状態を表した側面図（実施の形態１）
【図４】格納式シートの格納状態を表した側面図（実施の形態１）
【図５】格納式シートを表した側面図（実施の形態２）
【図６】格納式シートの使用状態を表した側面図（実施の形態３）
【図７】前側脚のフロア側支持部の構造を表した分解斜視図（実施の形態３）
【図８】格納式シートの格納作動状態を表した側面図（実施の形態３）
【図９】格納式シートの格納作動状態を表した側面図（実施の形態３）
【図１０】格納式シートの使用状態を表した側面図（実施の形態４）
【図１１】格納式シートの格納状態を表した側面図（実施の形態４）
【符号の説明】
【００３４】
１０  シートクッション
３０ 前側脚
４０ 駆動手段
５０ 後側脚
６０ 駆動手段
Ｆ  フロア
【図１】
2005059716.tif 000003
【図２】
2005059716.tif 000004
【図３】
2005059716.tif 000005
【図４】
2005059716.tif 000006
【図５】
2005059716.tif 000007
【図６】
2005059716.tif 000008
【図７】
2005059716.tif 000009
【図８】
2005059716.tif 000010
【図９】
2005059716.tif 000011
【図１０】
2005059716.tif 000012
【図１１】
2005059716.tif 000013